(57)【要約】【課題】複数の回路のいずれかに異常が発生した際、部品を交換せずとも再度通電可能な方法で異常発生箇所を特定できるようにし、かつ、実装配置への制約を少なくする。【解決手段】電力の供給を受ける回路１３０および１４０の各々に、ニオイの質が異なるニオイ試料ＡおよびＢを塗布しておく。回路１３０と１４０とのいずれかに過電流が流れて発熱すると、発熱した回路に塗布されているニオイ試料のニオイが発生する。このニオイの質を識別することで、回路１３０と１４０とのいずれに過電流が流れているかを判定することができる（すなわち、異常部分を判定することができる）。【選択図】図１
2013251985.tif 000002
【特許請求の範囲】
【請求項１】
電力の供給を受ける複数の回路と、
２つ以上の前記回路の各々に塗布されたニオイの質が異なるニオイ試料と、
を具備することを特徴とする機器。
【請求項２】
前記複数の回路に対する電力供給を遮断可能なスイッチと、
前記ニオイ試料の発するニオイを、ニオイの質毎に検出するニオイセンサと、
前記ニオイセンサが所定強度以上のニオイを検出したか否かをニオイの質毎に判定し、所定強度以上のニオイを検出したと判定すると当該ニオイの質を示す情報を記録する検出判定部と、
前記ニオイの質のうち少なくとも１つについて前記ニオイセンサが所定強度以上のニオイを検出したと前記検出判定部が判定すると、前記複数の回路に対する電力供給を遮断するよう前記スイッチを動作させるスイッチ制御部と、
を具備することを特徴とする請求項１に記載の機器。
【請求項３】
保護対象である複数の回路に対する電力供給を遮断可能なスイッチと、
複数の質のニオイを、ニオイの質毎に検出するニオイセンサと、
前記ニオイセンサが所定強度以上のニオイを検出したか否かをニオイの質毎に判定し、所定強度以上のニオイを検出したと判定すると検出したニオイの質を示す情報を記録する検出判定部と、
前記ニオイの質のうち少なくとも１つについて前記ニオイセンサが所定強度以上のニオイを検出したと前記検出判定部が判定すると、前記複数の回路に対する電力供給を遮断するよう前記スイッチを動作させるスイッチ制御部と、
を具備することを特徴とする回路保護装置。
【請求項４】
電力の供給を受ける複数の回路に対する異常部分判定方法であって、
２つ以上の前記回路の各々にニオイの質が異なるニオイ試料を塗布することを特徴とする異常部分判定方法。
【請求項５】
電力の供給を受ける複数の回路と、
２つ以上の前記回路の各々に塗布されたニオイの質が異なるニオイ試料と、
前記複数の回路に対する電力供給を遮断可能なスイッチと、
前記ニオイ試料の発するニオイを、ニオイの質毎に検出するニオイセンサと、
を具備する機器が、
前記ニオイセンサが所定強度以上のニオイを検出したか否かをニオイの質毎に判定し、所定強度以上のニオイを検出したと判定すると検出したニオイの質を示す情報を記録する検出判定ステップと、
前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、
を具備することを特徴とする回路保護方法。
【請求項６】
電力の供給を受ける複数の回路と、
２つ以上の前記回路の各々に塗布されたニオイの質が異なるニオイ試料と、
前記ニオイ試料を塗布された２つ以上の前記回路の各々に対する電力供給を遮断可能なスイッチと、
前記ニオイ試料の発するニオイを、ニオイの質毎に検出するニオイセンサと、
を具備する機器が、
前記ニオイセンサが所定強度以上のニオイを検出したか否かをニオイの質毎に判定する検出判定ステップと、
前記ニオイの質のうち少なくとも１つについて前記ニオイセンサが所定強度以上のニオイを検出したと前記検出判定ステップにて判定すると、検出したニオイの質のニオイ試料を塗布された前記回路に対する電力供給を遮断するよう前記スイッチを動作させるスイッチ制御ステップと、
を具備することを特徴とする回路保護方法。
【請求項７】
保護対象である複数の回路に対する電力供給を遮断可能なスイッチと、
複数の質のニオイを、ニオイの質毎に検出するニオイセンサと、
を具備する回路保護装置が、
前記ニオイセンサが所定強度以上のニオイを検出したか否かをニオイの質毎に判定し、所定強度以上のニオイを検出したと判定すると検出したニオイの質を示す情報を記録する検出判定ステップと、
前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、
を具備することを特徴とする回路保護方法。
【請求項８】
電力の供給を受ける複数の回路と、
２つ以上の前記回路の各々に塗布されたニオイの質が異なるニオイ試料と、
前記複数の回路に対する電力供給を遮断可能なスイッチと、
前記ニオイ試料の発するニオイを、ニオイの質毎に検出するニオイセンサと、
を具備する機器の前記スイッチを制御するコンピュータに、
前記ニオイセンサが所定強度以上のニオイを検出したか否かをニオイの質毎に判定し、所定強度以上のニオイを検出したと判定すると検出したニオイの質を示す情報を記録する検出判定ステップと、
前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、
を実行させるためのプログラム。
【請求項９】
電力の供給を受ける複数の回路と、
２つ以上の前記回路の各々に塗布されたニオイの質が異なるニオイ試料と、
前記ニオイ試料を塗布された２つ以上の前記回路の各々に対する電力供給を遮断可能なスイッチと、
前記ニオイ試料の発するニオイを、ニオイの質毎に検出するニオイセンサと、
を具備する機器の前記スイッチを制御するコンピュータに、
前記ニオイセンサが所定強度以上のニオイを検出したか否かをニオイの質毎に判定する検出判定ステップと、
前記ニオイの質のうち少なくとも１つについて前記ニオイセンサが所定強度以上のニオイを検出したと前記検出判定ステップにて判定すると、検出したニオイの質のニオイ試料を塗布された前記回路に対する電力供給を遮断するよう前記スイッチを動作させるスイッチ制御ステップと、
を実行させるためのプログラム。
【請求項１０】
保護対象である複数の回路に対する電力供給を遮断可能なスイッチと、
複数の質のニオイを、ニオイの質毎に検出するニオイセンサと、
を具備する回路保護装置の前記スイッチを制御するコンピュータに、
前記ニオイセンサが所定強度以上のニオイを検出したか否かをニオイの質毎に判定し、所定強度以上のニオイを検出したと判定すると検出したニオイの質を示す情報を記録する検出判定ステップと、
前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、
を実行させるためのプログラム。
【発明の詳細な説明】
【技術分野】
【０００１】
本発明は、機器、回路保護装置、異常部分判定方法、回路保護方法およびプログラムに関する。
【背景技術】
【０００２】
携帯電話機等の機器において回路故障や水没などにより回路が短絡すると、過電流が発生して当該回路が発熱し、ユーザの火傷や回路破損などが生じるおそれがあるという問題がある。かかる問題への対策方法として、過電流が発生し発熱に至るおそれのある回路にヒューズを挿入する方法や、過電流が発生し発熱に至るおそれのある回路の直近に温度センサを実装し、発熱を検出すると電流を遮断する方法がある。
【０００３】
ここで、図１０は、過電流が発生し発熱に至るおそれのある回路に挿入されたヒューズを具備する機器の構成例を示す概略構成図である。同図において、過電流が発生し発熱に至るおそれのある回路１１３０および１１４０に、それぞれ、ヒューズ１１３２および１１４２が挿入されている。
回路１１３０に過電流が発生した場合、ヒューズ１１３２が断線してバッテリ１１１０から回路１１３０への電力供給を遮断する。これにより、機器１１００は、回路１１３０の過熱を防止し、ひいては、発熱によるユーザの火傷や回路１１３０（特に、回路主要部１１３１）の破損を防止する。
同様に、回路１１４０に過電流が発生した場合、ヒューズ１１４２が断線してバッテリ１１１０から回路１１４０への電力供給を遮断する。これにより、機器１１００は、回路１１４０の過熱を防止し、ひいては、発熱によるユーザの火傷や回路１１４０（特に、回路主要部１１４１）の破損を防止する。
【０００４】
また、図１１は、過電流が発生し発熱に至るおそれのある回路の直近に実装された温度センサを具備する機器の構成例を示す概略構成図である。同図において、過電流が発生し発熱に至るおそれのある回路１２３０および１２４０の直近に、それぞれ、温度センサ１２５０および１２６０が実装されている。具体的には、温度センサ１２５０は、回路１２３０における回路主要部１２３１の温度を測定する。また、温度センサ１２６０は、回路１２４０における回路主要部１２４１の温度を測定する。
回路主要部１２３１に過電流が発生して所定温度以上になったことを温度センサ１２５０が検出すると、スイッチ１２７０が開状態（ＯＦＦ）になってバッテリ１２１０から回路１２２０〜１２４０（特に回路主要部１２３１）への電力供給を遮断する。これにより、機器１２００は、回路１２３０の過熱を防止し、ひいては、発熱によるユーザの火傷や回路１２３０（特に、回路主要部１２３１）の破損を防止する。
同様に、回路主要部１２４１に過電流が発生して所定温度以上になったことを温度センサ１２６０が検出すると、スイッチ１２７０が開状態になってバッテリ１２１０から回路１２２０〜１２４０（特に回路主要部１２４１）への電力供給を遮断する。これにより、機器１２００は、回路１２４０の過熱を防止し、ひいては、発熱によるユーザの火傷や回路１２４０（特に、回路主要部１２４１）の破損を防止する。
【０００５】
また、特許文献１に記載の圧電トランスインバータ装置では、装置のいずれかの場所で断線が起こりアーク放電が発生すると、アーク放電による回路基板等の焼損等により、異臭が発生する。臭気センサは、発生した異臭を検出し、所定の出力レベル以上の異臭を検出した場合に、電力供給制御回路を通じて電源からトランス駆動回路への電力供給を遮断させる。
これにより、断線故障時に電流が流れ続けている場合であっても、当該断線を検出し、回路を遮断することで、故障部位からの発煙または焼損、他の機器の破損等を抑制することができる、とされている。
【先行技術文献】
【特許文献】
【０００６】
【特許文献１】特開２００３−３４８８５５号公報
【発明の概要】
【発明が解決しようとする課題】
【０００７】
しかしながら、ヒューズを利用する方法では、一度過電流が流れてヒューズが断線した場合、ヒューズを交換しないと再度通電することができないという問題がある。例えば、図１０においてヒューズ１１３２が断線した場合、当該ヒューズ１１３２を交換しないと、回路１１３０に再度通電することができない。
また、温度センサを利用する方法では、発熱に至るおそれのある箇所の温度をより正確に測定するために当該箇所の直近に温度センサを配置する必要があり、実装配置に制約が生じてしまう。例えば、図１１において、回路主要部１２３１の温度をより正確に測定するために、当該回路主要部１２３１の直近に温度センサ１２５０を配置する必要がある。従って、回路主要部１２３１の直近に温度センサ１２５０を配置するためのスペースを確保する必要があり、実装配置に制約が生じてしまう。
また、特許文献１に記載の電圧トランスインバータ装置では、回路が複数ある場合に、いずれの回路から異臭が発生しているかの特定が困難であり、このため、いずれの回路に異常が発生しているかの特定が困難である。
【０００８】
本発明は、上述の課題を解決することのできる機器、回路保護装置、異常部分判定方法、回路保護方法およびプログラムを提供することを目的としている。
【課題を解決するための手段】
【０００９】
この発明は上述した課題を解決するためになされたもので、本発明の一態様による機器は、電力の供給を受ける複数の回路と、２つ以上の前記回路の各々に塗布されたニオイの質が異なるニオイ試料と、を具備することを特徴とする。
【００１０】
また、本発明の一態様による回路保護装置は、保護対象である複数の回路に対する電力供給を遮断可能なスイッチと、複数の質のニオイを、ニオイの質毎に検出するニオイセンサと、前記ニオイセンサが所定強度以上のニオイを検出したか否かをニオイの質毎に判定し、所定強度以上のニオイを検出したと判定すると検出したニオイの質を示す情報を記録する検出判定部と、前記ニオイの質のうち少なくとも１つについて前記ニオイセンサが所定強度以上のニオイを検出したと前記検出判定部が判定すると、前記複数の回路に対する電力供給を遮断するよう前記スイッチを動作させるスイッチ制御部と、を具備することを特徴とする。
【００１１】
また、本発明の一態様による異常部分判定方法は、電力の供給を受ける複数の回路に対する異常部分判定方法であって、２つ以上の前記回路の各々にニオイの質が異なるニオイ試料を塗布することを特徴とする。
【００１２】
また、本発明の一態様による回路保護方法は、電力の供給を受ける複数の回路と、２つ以上の前記回路の各々に塗布されたニオイの質が異なるニオイ試料と、前記複数の回路に対する電力供給を遮断可能なスイッチと、前記ニオイ試料の発するニオイを、ニオイの質毎に検出するニオイセンサと、を具備する機器が、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を具備することを特徴とする。
【００１３】
また、本発明の一態様による回路保護方法は、電力の供給を受ける複数の回路と、２つ以上の前記回路の各々に塗布されたニオイの質が異なるニオイ試料と、前記ニオイ試料を塗布された２つ以上の前記回路の各々に対する電力供給を遮断可能なスイッチと、前記ニオイ試料の発するニオイを、ニオイの質毎に検出するニオイセンサと、を具備する機器が、前記ニオイセンサが所定強度以上のニオイを検出したか否かをニオイの質毎に判定する検出判定ステップと、前記ニオイの質のうち少なくとも１つについて前記ニオイセンサが所定強度以上のニオイを検出したと前記検出判定ステップにて判定すると、検出したニオイの質のニオイ試料を塗布された前記回路に対する電力供給を遮断するよう前記スイッチを動作させるスイッチ制御ステップと、を具備することを特徴とする。
【００１４】
また、本発明の一態様による回路保護方法は、保護対象である複数の回路に対する電力供給を遮断可能なスイッチと、複数の質のニオイを、ニオイの質毎に検出するニオイセンサと、を具備する回路保護装置が、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を具備することを特徴とする。
【００１５】
また、本発明の一態様によるプログラムは、電力の供給を受ける複数の回路と、２つ以上の前記回路の各々に塗布されたニオイの質が異なるニオイ試料と、前記複数の回路に対する電力供給を遮断可能なスイッチと、前記ニオイ試料の発するニオイを、ニオイの質毎に検出するニオイセンサと、を具備する機器の前記スイッチを制御するコンピュータに、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を実行させるためのプログラムである。
【００１６】
また、本発明の一態様によるプログラムは、電力の供給を受ける複数の回路と、２つ以上の前記回路の各々に塗布されたニオイの質が異なるニオイ試料と、前記ニオイ試料を塗布された２つ以上の前記回路の各々に対する電力供給を遮断可能なスイッチと、前記ニオイ試料の発するニオイを、ニオイの質毎に検出するニオイセンサと、を具備する機器の前記スイッチを制御するコンピュータに、前記ニオイセンサが所定強度以上のニオイを検出したか否かをニオイの質毎に判定する検出判定ステップと、前記ニオイの質のうち少なくとも１つについて前記ニオイセンサが所定強度以上のニオイを検出したと前記検出判定ステップにて判定すると、検出したニオイの質のニオイ試料を塗布された前記回路に対する電力供給を遮断するよう前記スイッチを動作させるスイッチ制御ステップと、を実行させるためのプログラムである。
【００１７】
また、本発明の一態様によるプログラムは、保護対象である複数の回路に対する電力供給を遮断可能なスイッチと、複数の質のニオイを、ニオイの質毎に検出するニオイセンサと、を具備する回路保護装置の前記スイッチを制御するコンピュータに、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を実行させるためのプログラムである。
【発明の効果】
【００１８】
本発明によれば、複数の回路のいずれかに異常が発生した際、部品を交換せずとも再度通電可能な方法で異常発生箇所を特定でき、かつ、実装配置への制約が少ない。
【図面の簡単な説明】
【００１９】
【図１】本発明の第１の実施形態における機器の構成を示す概略構成図である。
【図２】同実施形態における機器の各部のうち、本発明の最小構成を示す概略構成図である。
【図３】本発明の第２の実施形態における機器の構成を示す概略構成図である。
【図４】同実施形態において、機器がスイッチを制御する処理の手順を示すフローチャートである。
【図５】同実施形態における機器の各部のうち、本発明の最小構成を示す概略構成図である。
【図６】同実施形態における回路保護装置の各部のうち、本発明の最小構成を示す概略構成図である。
【図７】本発明の第３の実施形態における機器の構成を示す概略構成図である。
【図８】同実施形態において、機器がスイッチを制御する処理の手順を示すフローチャートである。
【図９】同実施形態における機器の各部のうち、本発明の最小構成を示す概略構成図である。
【図１０】過電流が発生し発熱に至るおそれのある回路に挿入されたヒューズを具備する機器の構成例を示す概略構成図である。
【図１１】過電流が発生し発熱に至るおそれのある回路の直近に実装された温度センサを具備する機器の構成例を示す概略構成図である。
【発明を実施するための形態】
【００２０】
＜第１の実施形態＞
以下、図面を参照して、本発明の実施の形態について説明する。図１は、本発明の第１の実施形態における機器の構成を示す概略構成図である。同図において、機器１００は、バッテリ１１０と、回路１２０、１３０および１４０とを具備する。回路１２０は、回路主要部１２１を具備する。回路１３０は、回路主要部１３１と、ニオイ試料Ａとを具備する。回路１４０は、回路主要部１４１と、ニオイ試料Ｂとを具備する。
【００２１】
バッテリ１１０は、機器１００の各部に電力を供給する。
回路１２０は、電力の供給を受ける複数の回路の１つである。具体的には、回路１２０は、バッテリ１１０からの電力の供給を受けて所定の処理を実行する。回路１２０は、当該回路１２０の主要部分である回路主要部１２１と、バッテリ１１０と回路主要部１２１とを電気的に接続する電力路と、を含んで構成されている。
【００２２】
回路１３０は、電力の供給を受ける複数の回路の、もう１つである。具体的には、回路１３０は、バッテリ１１０からの電力の供給を受けて所定の処理を実行する。回路１３０は、当該回路１３０の主要部分である回路主要部１３１と、バッテリ１１０と回路主要部１３１とを電気的に接続する電力路と、を含んで構成されている。
【００２３】
回路１４０は、電力の供給を受ける複数の回路の、さらにもう１つである。具体的には、回路１４０は、バッテリ１１０からの電力の供給を受けて所定の処理を実行する。回路１４０は、当該回路１４０の主要部分である回路主要部１４１と、バッテリ１１０と回路主要部１４１とを電気的に接続する電力路と、を含んで構成されている。
【００２４】
ニオイ試料Ａは、回路１３０に塗布されているニオイ試料であり、所定の質のニオイ（匂いまたは臭い）を発する（発生させる）。ここでいうニオイの質とは、例えば甘いニオイまたは酸っぱいニオイ、あるいは○○のニオイなど、ニオイの種類を示す、ニオイの要素である。以下では、ニオイ試料Ａが発するニオイの質を「ニオイＡ」と表記する。
ニオイ試料Ａは、高温になるほど強いニオイを発する。
なお、回路１３０においてニオイ試料Ａを塗布する位置は、過電流が流れた際に発熱すると予想される位置であればよい。例えば、回路１３０の全体にニオイ試料Ａを塗布するようにしてもよいし、一部に塗布するようにしてもよい。例えば、ニオイ試料Ａは、回路１３０の電流経路上のプリント基板表面に塗布される。
【００２５】
ニオイ試料Ｂは、回路１４０に塗布されているニオイ試料であり、ニオイ試料Ａと異なる所定の質のニオイを発する。従って、ニオイ試料Ａのニオイとニオイ試料Ｂのニオイとは、区別可能である。以下では、ニオイ試料Ｂが発するニオイの質を「ニオイＢ」と表記する。
ニオイ試料Ｂは、高温になるほど強いニオイを発する。
なお、回路１４０においてニオイ試料Ｂを塗布する位置は、過電流が流れた際に発熱すると予想される位置であればよい。例えば、回路１４０の全体にニオイ試料Ｂを塗布するようにしてもよいし、一部に塗布するようにしてもよい。例えば、ニオイ試料Ｂは、回路１４０の電流経路上のプリント基板表面に塗布される。
【００２６】
このように、回路１２０と１３０と１４０とは、電力の供給を受ける複数の回路の一例に該当し、ニオイ試料ＡとＢとは、２つ以上の回路の各々に塗布されたニオイの質が異なるニオイ試料の一例に該当する。
なお、本発明は、電力の供給を受ける複数の回路を具備する様々な機器に適用可能である。例えば、機器１００は、携帯電話機またはスマートフォンなどの携帯端末装置、テレビ受像機などのＡＶ（Audio Visual）機器、コンピュータ、ＰＤＡ（Personal Data Assistant、個人情報端末）、またはゲーム機であってもよい。
【００２７】
以上のように、回路１３０にニオイ試料Ａが塗布され、回路１４０にニオイ試料Ｂが塗布されていることで、回路１３０と１４０とのいずれかに過電流が流れて発熱すると、発熱した回路に塗布されているニオイ試料のニオイが発生する。このニオイの質を識別することで、回路１３０と１４０とのいずれに過電流が流れているかを判定することができる（すなわち、異常部分を判定することができる）。
【００２８】
このニオイの質を識別することで異常部分を判定する方法では、ヒューズ等の断線箇所に基づいて異常部分を判定する方法と異なり、部品を交換せずとも再度通電可能な方法で異常発生箇所を特定できる。
また、ニオイ試料の直近でなくともニオイを検知してニオイの質を判別することができるので、発熱を監視する箇所の直近にセンサ等を設ける必要がない。この点において、実装配置への制約が少ない。さらには、直接視認することができない箇所についても、ニオイ試料を塗布しておくことで発熱を検知でき、異常部分を判定することができる。
【００２９】
ここで、ニオイ試料ＡおよびＢを塗布するタイミングは、機器１００の製造時であってもよいし、機器１００に異常が発生して検査を行う際など事後的なタイミングであってもよい。また、ニオイの質の識別は、人（検査者）が行うようにしてもよいし、ニオイセンサが行うようにしてもよい。
【００３０】
次に、図２を参照して、機器１００における本発明の最小構成について説明する。
図２は、図１に示される機器１００の各部のうち、本発明の最小構成を示す概略構成図である。同図において、機器１００は、回路１３０と１４０とを具備する。回路１３０は、ニオイ試料Ａを具備する。回路１４０は、ニオイ試料Ｂを具備する。
【００３１】
かかる構成において、図１の構成の場合と同様、回路１３０にニオイ試料Ａが塗布され、回路１４０にニオイ試料Ｂが塗布されていることで、回路１３０と１４０とのいずれかに過電流が流れて発熱すると、発熱した回路に塗布されているニオイ試料のニオイが発生する。このニオイの質を識別することで、回路１３０と１４０とのいずれに過電流が流れているかを判定することができる（すなわち、異常部分を判定することができる）。
【００３２】
＜第２の実施形態＞
図３は、本発明の第２の実施形態における機器の構成を示す概略構成図である。同図において、機器２００は、バッテリ１１０と、回路１２０、１３０および１４０と、温湿度センサ２５１と、ニオイセンサ２５２と、検出判定部２６１と、メモリ２６２と、スイッチ制御部２７０と、スイッチ２８０とを具備する。回路１２０は、回路主要部１２１を具備する。回路１３０は、回路主要部１３１と、ニオイ試料Ａとを具備する。回路１４０は、回路主要部１４１と、ニオイ試料Ｂとを具備する。また、温湿度センサ２５１と、ニオイセンサ２５２と、検出判定部２６１と、メモリ２６２と、スイッチ制御部２７０と、スイッチ２８０とで回路保護装置２０１を構成する。
同図において図１の各部に対応して同様の機能を有する部分には、同一の符号（１１０、１２０〜１２１、１３０〜１３２、１４０〜１４２）を付して説明を省略する。
【００３３】
温湿度センサ２５１は、ニオイセンサ２５２の付近に設置されており、ニオイセンサ２５２付近における温度および湿度を測定し、測定結果の温度情報および湿度情報をニオイセンサ２５２に出力する。
ニオイセンサ２５２は、ニオイ試料ＡおよびＢの発するニオイを、ニオイの質毎に検出する。具体的には、ニオイセンサ２５２は、ニオイＡの強度とニオイＢの強度とを、それぞれ測定する。例えば、ニオイセンサ２５２は、ニオイＡ、Ｂの各々に含まれる各種基準ガス（基準臭）の割合を予め記憶している。この各種基準ガスの割合がニオイの質を決定付ける。そして、測定時においてニオイセンサ２５２は、自らの周囲の空気中に含まれる各種基準ガスの濃度を解析し、予め記憶しているニオイＡ、Ｂの情報と比較することで、ニオイＡ、Ｂそれぞれについてニオイの強度を測定する。
【００３４】
その際、ニオイセンサ２５２は、温湿度センサ２５１からの温度情報および湿度情報に基づいて測定結果を補正する。すなわち、ニオイの強度は周囲の温度や湿度によって異なるため、ニオイセンサ２５２の近くに温湿度センサ２５１を配置し、温湿度に応じた補正係数を測定値としての強度の値に乗算することで、補正を行う。
ニオイセンサ２５２は、ニオイＡおよびＢの各々について、ニオイの質および補正後の強度を示す情報を検出判定部２６１に出力する。
なお、ニオイセンサ２５２における測定値の補正に代えて、検出判定部２６１が判定に用いる強度閾値を補正するようにしてもよい。
【００３５】
なお、ニオイセンサ２５２は、１つのニオイセンサとして構成されていてもよいし、ニオイＡの強度を測定するニオイセンサと、ニオイＢの強度を測定するニオイセンサとの組み合わせにて構成されていてもよい。ニオイＡの強度を測定するニオイセンサとニオイＢの強度を測定するニオイセンサとを別個のニオイセンサとする場合、両者を別々の位置に配置するようにしてもよい。
【００３６】
メモリ２６２は、記憶デバイスを含んで構成され、各種情報を記憶する。
検出判定部２６１は、ニオイセンサ２５２が所定強度以上のニオイを検出したか否かをニオイの質毎に判定する。そして、検出判定部２６１は、ニオイセンサ２５２が所定強度以上のニオイを検出したと判定すると、当該ニオイの質を示す情報を記録する。具体的には、検出判定部２６１は、ニオイＡとＢとの各々について、所定の強度閾値以上のニオイをニオイセンサ２５２が検出したか否かを判定する。そして、検出判定部２６１は、いずれかの質のニオイについてニオイセンサ２５２が強度閾値以上のニオイを検出したと判定すると、強度閾値以上のニオイ検出有りと判定したニオイの質および当該ニオイの強度を示す情報を、メモリ２６２に記憶させる（書き込む）。なお、正常時も含めて定期的に、検出判定部２６１がニオイＡとＢとの各々についてニオイの強度をメモリ２６２に記憶させるようにしてもよい。
また、検出判定部２６１は、ニオイセンサ２５２が所定強度（強度閾値）以上のニオイを検出したか否かの判定結果情報をスイッチ制御部２７０に出力する。
【００３７】
検出判定部２６１が、強度閾値以上のニオイ検出有りと判定することは、異常（過電流による発熱）有りと判定することに相当する。この点において、検出判定部２６１は、ニオイセンサ２５２の測定値に基づいて、回路１３０と１４０とのそれぞれにおける異常の有無を判定している。
【００３８】
スイッチ２８０は、複数の回路に対する電力供給を遮断可能なスイッチである。具体的には、スイッチ２８０は、バッテリ１１０と、回路主要部１２１、１３１および１４１とを電気的に接続する電力路に設けられている。そして、スイッチ２８０は、閉状態にてバッテリ１１０から回路主要部１２１、１３１および１４１へ電力を供給させる。また、スイッチ２８０は、開状態にてバッテリ１１０から回路主要部１２１、１３１および１４１への電力供給を遮断する。
【００３９】
スイッチ制御部２７０は、ニオイの質のうち少なくとも１つについてニオイセンサ２５２が所定強度以上のニオイを検出したと検出判定部２６１が判定すると、複数の回路に対する電力供給を遮断するようスイッチ２８０を動作させる。具体的には、検出判定部２６１からの判定結果情報が、ニオイＡまたはＢの少なくともいずれかについて強度閾値以上の強度をニオイセンサ２５２が検出したことを示している場合、スイッチ制御部２７０は、スイッチ２８０を開状態にする。
これにより、スイッチ制御部２７０は、回路１３０または１４０に過電流が流れてニオイが発生した場合に、バッテリ１１０から回路１２０、１３０および１４０（特に、回路１３０および１４０）への電力供給を遮断させて過熱を防止する。
【００４０】
また、スイッチ制御部２７０は、ニオイの質のいずれについてもニオイセンサ２５２が所定強度以上のニオイを検出していないと検出判定部２６１が判定すると、複数の回路に対して電力が供給されるようスイッチ２８０を動作させる。具体的には、検出判定部２６１からの判定結果情報が、ニオイＡとＢとのいずれについても強度閾値以上の強度をニオイセンサ２５２が検出していないことを示している場合、スイッチ制御部２７０は、スイッチ２８０を閉状態にする。
これにより、スイッチ制御部２７０は、回路１３０と１４０とのいずれにも過電流が流れていない正常状態において、バッテリ１１０から回路１２０、１３０および１４０へ電力を供給させて、回路１２０、１３０および１４０に処理を行わせる。
【００４１】
なお、第１の実施形態にて説明したように、本発明は、電力の供給を受ける複数の回路を具備する様々な機器に適用可能である。例えば、機器２００は、携帯電話機またはスマートフォンなどの携帯端末装置、テレビ受像機などのＡＶ（Audio Visual）機器、コンピュータ、ＰＤＡ（Personal Data Assistant、個人情報端末）、またはゲーム機であってもよい。
【００４２】
次に、図４を参照して機器２００の動作について説明する。
図４は、機器２００がスイッチ２８０を制御する処理の手順を示すフローチャートである。機器２００は、自らの電源を接続（ＯＮ）されて動作状態になると、同図の処理を開始する。
同図の処理において、検出判定部２６１は、まず、ニオイセンサ２５２の状態を確認する（ステップＳ１０１）。具体的には、ニオイセンサ２５２は、連続的にあるいは定期的に、ニオイＡおよびＢの各々についてニオイの強度を測定し、測定結果情報としてのセンシングデータを検出判定部２６１に出力する。そして、検出判定部２６１は、ニオイセンサ２５２からのセンシングデータを解析して、ニオイセンサ２５２が測定したニオイの強度をニオイの質毎に検知する。
【００４３】
そして、検出判定部２６１は、ニオイＡまたはＢの少なくともいずれかについて強度閾値以上のニオイをニオイセンサ２５２が検出したか否かを判定する（ステップＳ１０２）。検出無しと判定した場合（ステップＳ１０２：ＮＯ）、検出判定部２６１は、検出無しを示す判定結果情報をスイッチ制御部２７０に出力し、スイッチ制御部２７０は、検出判定部２６１からの判定結果情報に基づいて、スイッチ２８０を閉状態にする（ステップＳ１１１）。
その後、検出判定部２６１は、所定時間の経過を待って（ステップＳ１１２）、ステップＳ１０１へ戻る。
【００４４】
一方、ステップＳ１０２において、強度閾値以上のニオイの検出有りと判定した場合（ステップＳ１０２：ＹＥＳ）、検出判定部２６１は、強度閾値以上となったニオイの質および強度を示す情報をメモリ２６２に記憶させる（ステップＳ１２１）。
また、検出判定部２６１は、検出有りの判定結果情報をスイッチ制御部２７０に出力し、スイッチ制御部２７０は、検出判定部２６１からの判定結果情報に基づいて、スイッチ２８０を開状態にする（ステップＳ１２２）。
【００４５】
その後、検出判定部２６１は、所定時間の経過を待って（ステップＳ１２３）、ステップＳ１０１へ戻る。なお、ステップＳ１２３における待ち時間は、ステップＳ１１２における待ち時間と同じ長さであってもよいし、異なる長さであってもよい。例えば、ステップＳ１２３では、回路が充分冷却される（熱を充分放出する）だけの時間経過を検出判定部２６１が待つようにし、ステップＳ１１２では、ステップＳ１２３よりも短いサンプリング時間の経過を検出判定部２６１が待つようにしてもよい。
【００４６】
以上のように、回路１３０にニオイ試料Ａが塗布され、回路１４０にニオイ試料Ｂが塗布されていることで、回路１３０と１４０とのいずれかに過電流が流れて発熱すると、発熱した回路に塗布されているニオイ試料のニオイが発生する。すると、発生したニオイをニオイセンサ２５２が測定し、強度閾値以上のニオイを検出した場合にスイッチ制御部２７０がスイッチ２８０を開状態にする。これにより、回路１３０または１４０での過電流にて生じる発熱を検出して、バッテリ１１０から回路１３０および１４０への電力供給を遮断することができる。当該電力供給の遮断により、回路１３０または１４０の過熱を防止でき、ひいては、発熱によるユーザの火傷や回路の破損を防止し得る。
【００４７】
その際、回路１３０と１４０とに、それぞれニオイの質の異なるニオイ試料ＡとＢとを塗布しておくことで、ニオイセンサ２５２は、互いのニオイの干渉を排除して、より正確に発熱を判定できる。
ここで、回路１３０や１４０は、正常動作状態においても処理負荷等に応じてある程度発熱することが考えられる。仮に、回路１３０と１４０とに同じニオイ試料を塗布した場合、いずれも正常の範囲内でニオイの強度が増加したにもかかわらず、合わさったニオイの強度が強度閾値以上となり、検出判定部２６１が異常有り（強度閾値以上のニオイの検出有り）と判定してしまうおそれがある。かかる判定を防止するために、強度閾値の値を大きく設定することが考えられるが、この場合、回路１３０と１４０との一方が過電流で発熱しても、他方の温度が低く、合わさったニオイの強度が強度閾値未満となることが考えられる。この場合、検出判定部２６１が異常無しと判定してしまう。
これに対し、回路１３０と１４０とに、それぞれニオイの質の異なるニオイ試料ＡとＢとを塗布しておくことで、ニオイセンサ２５２は、回路１３０と１４０とで発生したニオイの強度を別個に測定できる。これにより、回路１３０と１４０とのいずれにおいても正常の範囲内でニオイの強度が増加した場合に、合わさったニオイの強度に基づいて検出判定部２６１が異常有りと判定してしまうことを防止できる。
【００４８】
また、ニオイＡについての強度閾値と、ニオイＢについての強度閾値とは、異なる値であってもよい。例えば、機器２００の設計・製造者ないし管理者が、ニオイセンサ２５２とニオイ試料の塗布位置との距離に応じて異なる強度閾値に設定してもよい。例えば、ニオイセンサ２５２が、ニオイ試料Ａの塗布位置から比較的遠く、ニオイ試料Ｂの塗布位置に比較的近い位置に設置されている場合、ニオイ試料Ａからのニオイよりもニオイ試料Ｂからのニオイのほうが、ニオイセンサ２５２に届き易いことが考えられる。この場合、ニオイＡについての強度閾値よりも、ニオイＢについての強度閾値を大きく設定しておく。かかる強度閾値の設定は、ニオイセンサ２５２とニオイ試料の塗布位置との距離に基づいてニオイセンサ２５２の測定結果を補正することに相当し、検出判定部２６１は、より正確に異常の有無を判定し得る。
【００４９】
また、検出判定部２６１が、強度閾値以上と判定したニオイの質を示す情報を記録することで、機器２００の修理を行う者は、当該記録に基づいて異常部分を推定することができる。さらに、検出判定部２６１が、強度閾値以上と判定したニオイの強度を示す情報を記録することで、機器２００の修理を行う者は、異常部分の温度ないし過電流の大きさを推定することができ、異常原因の特定に役立てることができる。
【００５０】
また、ニオイＡとＢとのいずれについてもニオイセンサ２５２が強度閾値以上のニオイを検出していないと検出判定部２６１が判定すると、スイッチ制御部２７０は、スイッチ２８０を閉状態として、バッテリ１１０から回路１２０、１３０および１４０へ電力を供給させる。
これにより、一時的な障害に起因する過電流が解消した際に、各回路を再度機能させることができる。
【００５１】
次に、図５を参照して、機器２００における本発明の最小構成について説明する。
図５は、図３に示される機器２００の各部のうち、本発明の最小構成を示す概略構成図である。同図において、機器２００は、回路１３０と、回路１４０と、ニオイセンサ２５２と、検出判定部２６１と、スイッチ制御部２７０と、スイッチ２８０とを具備する。回路１３０は、ニオイ試料Ａを具備する。回路１４０は、ニオイ試料Ｂを具備する。
【００５２】
かかる構成において、図３の構成の場合と同様、回路１３０にニオイ試料Ａが塗布され、回路１４０にニオイ試料Ｂが塗布されていることで、回路１３０と１４０とのいずれかに過電流が流れて発熱すると、発熱した回路に塗布されているニオイ試料のニオイが発生する。このニオイをニオイセンサ２５２が測定し、強度閾値以上のニオイを検出した場合にスイッチ制御部２７０がスイッチ２８０を開状態にする。これにより、機器２００は、回路１３０または１４０での過電流にて生じる発熱を検出して、バッテリ１１０から回路１３０および１４０への電力供給を遮断することができる。当該電力供給の遮断により、回路１３０または１４０の過熱を防止でき、ひいては、発熱によるユーザの火傷や回路の破損を防止し得る。
【００５３】
また、検出判定部２６１が、強度閾値以上と判定したニオイの質を示す情報を記録することで、機器２００の修理を行う者は、当該記録に基づいて異常部分を推定することができる。さらに、検出判定部２６１が、強度閾値以上と判定したニオイの強度を示す情報を記録することで、機器２００の修理を行う者は、異常部分の温度ないし過電流の大きさを推定することができ、異常原因の特定に役立てることができる。
【００５４】
また、ニオイＡとＢとのいずれについてもニオイセンサ２５２が強度閾値以上のニオイを検出していないと検出判定部２６１が判定すると、スイッチ制御部２７０は、スイッチ２８０を閉状態として、バッテリ１１０から回路１２０、１３０および１４０へ電力を供給させる。
これにより、一時的な障害に起因する過電流が解消した際に、各回路を再度機能させることができる。
【００５５】
次に、図６を参照して、回路保護装置２０１における本発明の最小構成について説明する。
図６は、図３に示される回路保護装置２０１の各部のうち、本発明の最小構成を示す概略構成図である。同図において、回路保護装置２０１は、ニオイセンサ２５２と、検出判定部２６１と、スイッチ制御部２７０と、スイッチ２８０とを具備する。
【００５６】
かかる構成において、図３の構成の場合と同様、温度監視対象の位置に塗布されたニオイ試料から発生するニオイをニオイセンサ２５２が測定し、強度閾値以上のニオイを検出した場合にスイッチ制御部２７０がスイッチ２８０を開状態にする。これにより、温度監視対象の位置において過電流にて生じる発熱を検出して、保護対象の回路への電力供給を遮断することができる。当該電力供給の遮断により、保護対象の回路の過熱を防止でき、ひいては、発熱によるユーザの火傷や回路の破損を防止し得る。
【００５７】
その際、ニオイセンサ２５２が、異なる質のニオイを区別してそれぞれのニオイの強度を測定する。これにより、複数の温度監視対象の位置にそれぞれニオイの質が異なるニオイ試料が塗布されている場合に、検出判定部２６１は、互いのニオイの干渉を排除して、より正確に発熱を判定できる。
【００５８】
また、検出判定部２６１が、強度閾値以上と判定したニオイの質を示す情報を記録する。これにより、複数の温度監視対象の位置にそれぞれニオイの質が異なるニオイ試料が塗布されている場合に、回路保護装置２０１を具備する機器の修理を行う者は、当該記録に基づいて異常部分を推定することができる。さらに、検出判定部２６１が、強度閾値以上と判定したニオイの強度を示す情報を記録することで、回路保護装置２０１を具備する機器の修理を行う者は、異常部分の温度ないし過電流の大きさを推定することができ、異常原因の特定に役立てることができる。
【００５９】
また、いずれのニオイの質についてもニオイセンサ２５２が強度閾値以上のニオイを検出していないと検出判定部２６１が判定すると、スイッチ制御部２７０は、スイッチ２８０を閉状態として、電源から保護対象の回路へ電力を供給させる。
これにより、一時的な障害に起因する過電流が解消した際に、各回路を再度機能させることができる。
【００６０】
＜第３の実施形態＞
図７は、本発明の第３の実施形態における機器の構成を示す概略構成図である。同図において、機器３００は、バッテリ１１０と、回路１２０、１３０および１４０と、温湿度センサ２５１と、ニオイセンサ２５２と、検出判定部３６１と、メモリ２６２と、スイッチ制御部３７０とを具備する。回路１２０は、回路主要部１２１を具備する。回路１３０は、回路主要部１３１と、ニオイ試料Ａと、スイッチ３８１とを具備する。回路１４０は、回路主要部１４１と、ニオイ試料Ｂと、スイッチ３８２とを具備する。
【００６１】
同図において図３の各部に対応して同様の機能を有する部分には、同一の符号（１１０、１２０〜１２１、１３０〜１３２、１４０〜１４２、２５１〜２５２、２６２）を付して説明を省略する。
機器３００は、回路１３０と１４０との各々に対応してスイッチ３８１と３８２とを具備する点で、図３に示される機器２００と異なる。
【００６２】
検出判定部３６１は、検出判定部２６１（図３）と同様、ニオイセンサ２５２が所定強度以上のニオイを検出したか否かをニオイの質毎に判定する。そして、検出判定部２６１は、ニオイセンサ２５２が所定強度以上のニオイを検出したと判定すると、当該ニオイの質を示す情報を記録する。
ただし、検出判定部３６１は、ニオイＡとＢとの各々について強度閾値以上のニオイの検出の有無を示す情報をスイッチ制御部３７０に出力する。この点において、検出判定部３６１は、ニオイＡまたはＢの少なくともいずれかについて強度閾値以上のニオイの検出の有無を示す情報をスイッチ制御部２７０に出力する検出判定部２６１と異なる。
【００６３】
スイッチ３８１は、バッテリ１１０と回路主要部１３１とを電気的に接続する電力路に設けられており、閉状態にてバッテリ１１０から回路主要部１３１へ電力を供給させる。また、スイッチ３８１は、開状態にてバッテリ１１０から回路主要部１３１への電力供給を遮断する。
スイッチ３８２は、バッテリ１１０と回路主要部１４１とを電気的に接続する電力路に設けられており、閉状態にてバッテリ１１０から回路主要部１４１へ電力を供給させる。また、スイッチ３８２は、開状態にてバッテリ１１０から回路主要部１４１への電力供給を遮断する。
このように、スイッチ３８１と３８２とは、ニオイ試料を塗布された２つ以上の回路の各々に対する電力供給を遮断可能なスイッチの一例に該当する。
【００６４】
スイッチ制御部３７０は、ニオイの質のうち少なくとも１つについてニオイセンサ２５２が所定強度以上のニオイを検出したと検出判定部３６１が判定すると、検出したニオイの質のニオイ試料を塗布された回路に対する電力供給を遮断するようスイッチ３８１または３８２を動作させる。具体的には、ニオイセンサ２５２がニオイＡについて強度閾値以上のニオイを検出したと検出判定部２６１が判定すると、スイッチ制御部３７０は、ニオイ試料Ａを塗布された回路１３０に対する電力供給を遮断するように、スイッチ３８１を開状態にする。また、ニオイセンサ２５２がニオイＢについて強度閾値以上のニオイを検出したと検出判定部２６１が判定すると、スイッチ制御部３７０は、ニオイ試料Ｂを塗布された回路１４０に対する電力供給を遮断するように、スイッチ３８２を開状態にする。
【００６５】
このように、ニオイセンサ２５２が強度閾値以上のニオイを検出したニオイ試料に応じて、スイッチ制御部３７０が、スイッチ３８１と３８２とを互いに独立に制御する。これにより、機器３００に異常が発生した際に、修理を行う者は、スイッチ３８１と３８２とのいずれか開状態となっているかに基づいて異常部分を推定することができる。具体的には、スイッチ３８１が開状態となっている場合、機器３００の修理を行う者は、当該スイッチ３８１に対応する回路１３０に異常があると推定できる。一方、スイッチ３８２が開状態となっている場合、機器３００の修理を行う者は、当該スイッチ３８２に対応する回路１４０に異常があると推定できる。
また、スイッチ制御部３７０が、スイッチ３８１と３８２とを互いに独立に制御することで、回路１３０と１４０とのいずれかに異常が発生した際に、異常が発生していないほうの回路の動作を維持することができる。これにより、機器３００は、異常発生時においても、異常が発生していない回路による機能をユーザに提供し得る。
【００６６】
なお、第１の実施形態にて説明したように、本発明は、電力の供給を受ける複数の回路を具備する様々な機器に適用可能である。例えば、機器３００は、携帯電話機またはスマートフォンなどの携帯端末装置、テレビ受像機などのＡＶ（Audio Visual）機器、コンピュータ、ＰＤＡ（Personal Data Assistant、個人情報端末）、またはゲーム機であってもよい。
【００６７】
次に、図８を参照して機器３００の動作について説明する。
図８は、機器３００がスイッチ３８１および３８２を制御する処理の手順を示すフローチャートである。機器３００は、自らの電源を接続されて動作状態になると、同図の処理を開始する。
同図の処理において、ステップＳ２０１は、図４のステップＳ１０１と同様である。
【００６８】
ステップＳ２０１の後、検出判定部３６１は、ニオイＡについて強度閾値以上のニオイをニオイセンサ２５２が検出したか否かを判定する（ステップＳ２０２）。検出無しと判定した場合（ステップＳ２０２：ＮＯ）、検出判定部３６１は、ニオイＡについて検出無しを示す判定結果情報をスイッチ制御部３７０に出力し、スイッチ制御部３７０は、検出判定部３６１からの判定結果情報に基づいて、スイッチ３８１を閉状態にする（ステップＳ２１１）。
【００６９】
次に、検出判定部３６１は、ニオイＢについて強度閾値以上のニオイをニオイセンサ２５２が検出したか否かを判定する（ステップＳ２３１）。検出無しと判定した場合（ステップＳ２３１：ＮＯ）、検出判定部３６１は、ニオイＢについて検出無しを示す判定結果情報をスイッチ制御部３７０に出力し、スイッチ制御部３７０は、検出判定部３６１からの判定結果情報に基づいて、スイッチ３８２を閉状態にする（ステップＳ２４１）。
その後、検出判定部３６１は、所定時間の経過を待って（ステップＳ２６１）、ステップＳ２０１へ戻る。
【００７０】
一方、ステップＳ２０２において、ニオイＡについて強度閾値以上のニオイ検出有りと判定した場合（ステップＳ２０２：ＹＥＳ）、検出判定部３６１は、ニオイＡおよび当該ニオイＡの強度を示す情報をメモリ２６２に記憶させる（ステップＳ２２１）。
また、検出判定部３６１は、ニオイＡについて検出有りの判定結果情報をスイッチ制御部３７０に出力し、スイッチ制御部３７０は、検出判定部３６１からの判定結果情報に基づいて、スイッチ３８１を開状態にする（ステップＳ２２２）。
その後、ステップＳ２３１へ進む。
【００７１】
一方、ステップＳ２３１において、ニオイＢについて強度閾値以上のニオイ検出有りと判定した場合（ステップＳ２３１：ＹＥＳ）、検出判定部３６１は、ニオイＢおよび当該ニオイＢの強度を示す情報をメモリ２６２に記憶させる（ステップＳ２５１）。
また、検出判定部３６１は、ニオイＡについて検出有りの判定結果情報をスイッチ制御部３７０に出力し、スイッチ制御部３７０は、検出判定部３６１からの判定結果情報に基づいて、スイッチ３８２を開状態にする（ステップＳ２５２）。
その後、ステップＳ２３１へ進む。
【００７２】
以上のように、回路１３０にニオイ試料Ａが塗布され、回路１４０にニオイ試料Ｂが塗布されていることで、回路１３０と１４０とのいずれかに過電流が流れて発熱すると、発熱した回路に塗布されているニオイ試料のニオイが発生する。このニオイをニオイセンサ２５２が測定し、強度閾値以上のニオイを検出した場合にスイッチ制御部３７０がスイッチ３８１または３８２を開状態にすることで、回路１３０または１４０での過電流にて生じる発熱を検出して、バッテリ１１０から回路１３０および１４０への電力供給を遮断することができる。当該電力供給の遮断により、回路１３０または１４０の過熱を防止でき、ひいては、発熱によるユーザの火傷や回路の破損を防止し得る。
【００７３】
その際、回路１３０と１４０とに、それぞれニオイの質の異なるニオイ試料ＡとＢとを塗布しておくことで、第２の実施形態の場合と同様、ニオイセンサ２５２は、互いのニオイの干渉を排除して、より正確に発熱を判定できる。
また、第２の実施形態の場合と同様、ニオイＡについての強度閾値と、ニオイＢについての強度閾値とは、異なる値であってもよい。
【００７４】
また、ニオイセンサ２５２が強度閾値以上のニオイを検出したニオイ試料に応じて、スイッチ制御部３７０が、スイッチ３８１と３８２とを互いに独立に制御する。これにより、機器３００に異常が発生した際に、修理を行う者は、スイッチ３８１と３８２とのいずれか開状態となっているかに基づいて異常部分を推定することができる。具体的には、スイッチ３８１が開状態となっている場合、機器３００の修理を行う者は、当該スイッチ３８１に対応する回路１３０に異常があると推定できる。一方、スイッチ３８２が開状態となっている場合、機器３００の修理を行う者は、当該スイッチ３８２に対応する回路１４０に異常があると推定できる。
また、スイッチ制御部３７０が、スイッチ３８１と３８２とを互いに独立に制御することで、回路１３０と１４０とのいずれかに異常が発生した際に、異常が発生していないほうの回路の動作を維持することができる。これにより、機器３００は、異常発生時においても、異常が発生していない回路による機能をユーザに提供し得る。
【００７５】
また、ニオイＡについてニオイセンサ２５２が強度閾値以上のニオイを検出していないと検出判定部３６１が判定すると、スイッチ制御部３７０は、スイッチ３８１を閉状態として、バッテリ１１０から回路１３０へ電力を供給させる。
これにより、一時的な障害に起因する過電流が解消した際に、回路１３０を再度機能させることができる。
【００７６】
また、ニオイＡについてニオイセンサ２５２が強度閾値以上のニオイを検出したと判定した際、検出判定部３６１が、ニオイＡを示す情報を記録する。これにより、スイッチ３８１が閉状態に戻った後でも、機器３００の修理を行う者は当該記録に基づいて異常部分を回路１３０と推定することができる。さらに、検出判定部３６１が、ニオイＡの強度を示す情報を記録することで、機器３００の修理を行う者は、異常部分の温度ないし過電流の大きさを推定することができ、異常原因の特定に役立てることができる。
【００７７】
また、ニオイＢについてニオイセンサ２５２が強度閾値以上のニオイを検出したと判定した際、検出判定部３６１が、ニオイＢを示す情報を記録する。これにより、スイッチ３８１が閉状態に戻った後でも、機器３００の修理を行う者は当該記録に基づいて異常部分を回路１４０と推定することができる。さらに、検出判定部３６１が、ニオイＢの強度を示す情報を記録することで、機器３００の修理を行う者は、異常部分の温度ないし過電流の大きさを推定することができ、異常原因の特定に役立てることができる。
【００７８】
次に、図９を参照して、機器３００における本発明の最小構成について説明する。
図９は、図７に示される機器３００の各部のうち、本発明の最小構成を示す概略構成図である。同図において、機器３００は、回路１３０および１４０と、ニオイセンサ２５２と、検出判定部３６１と、スイッチ制御部３７０と、スイッチ３８１および３８２とを具備する。回路１３０は、ニオイ試料Ａを具備する。回路１４０は、ニオイ試料Ｂを具備する。
【００７９】
かかる構成において、図７の場合と同様、回路１３０にニオイ試料Ａが塗布され、回路１４０にニオイ試料Ｂが塗布されていることで、回路１３０と１４０とのいずれかに過電流が流れて発熱すると、発熱した回路に塗布されているニオイ試料のニオイが発生する。このニオイをニオイセンサ２５２が測定し、強度閾値以上のニオイを検出した場合にスイッチ制御部３７０がスイッチ３８１または３８２を開状態にすることで、回路１３０または１４０での過電流にて生じる発熱を検出して、バッテリ１１０から回路１３０および１４０への電力供給を遮断することができる。当該電力供給の遮断により、回路１３０または１４０の過熱を防止でき、ひいては、発熱によるユーザの火傷や回路の破損を防止し得る。
【００８０】
また、ニオイセンサ２５２が強度閾値以上のニオイを検出したニオイ試料に応じて、スイッチ制御部３７０が、スイッチ３８１と３８２とを互いに独立に制御する。これにより、機器３００に異常が発生した際に、修理を行う者は、スイッチ３８１と３８２とのいずれか開状態となっているかに基づいて異常部分を推定することができる。具体的には、スイッチ３８１が開状態となっている場合、機器３００の修理を行う者は、当該スイッチ３８１に対応する回路１３０に異常があると推定できる。一方、スイッチ３８２が開状態となっている場合、機器３００の修理を行う者は、当該スイッチ３８２に対応する回路１４０に異常があると推定できる。
また、スイッチ制御部３７０が、スイッチ３８１と３８２とを互いに独立に制御することで、回路１３０と１４０とのいずれかに異常が発生した際に、異常が発生していないほうの回路の動作を維持することができる。これにより、機器３００は、異常発生時においても、異常が発生していない回路による機能をユーザに提供し得る。
【００８１】
また、ニオイＡについてニオイセンサ２５２が強度閾値以上のニオイを検出していないと検出判定部３６１が判定すると、スイッチ制御部３７０は、スイッチ３８１を閉状態として、バッテリ１１０から回路１３０へ電力を供給させる。
これにより、一時的な障害に起因する過電流が解消した際に、回路１３０を再度機能させることができる。
【００８２】
また、ニオイＡについてニオイセンサ２５２が強度閾値以上のニオイを検出したと判定した際、検出判定部３６１が、ニオイＡを示す情報を記録する。これにより、スイッチ３８１が閉状態に戻った後でも、機器３００の修理を行う者は当該記録に基づいて異常部分を回路１３０と推定することができる。さらに、検出判定部３６１が、ニオイＡの強度を示す情報を記録することで、機器３００の修理を行う者は、異常部分の温度ないし過電流の大きさを推定することができ、異常原因の特定に役立てることができる。
【００８３】
また、ニオイＢについてニオイセンサ２５２が強度閾値以上のニオイを検出したと判定した際、検出判定部３６１が、ニオイＢを示す情報を記録する。これにより、スイッチ３８１が閉状態に戻った後でも、機器３００の修理を行う者は当該記録に基づいて異常部分を回路１４０と推定することができる。さらに、検出判定部３６１が、ニオイＢの強度を示す情報を記録することで、機器３００の修理を行う者は、異常部分の温度ないし過電流の大きさを推定することができ、異常原因の特定に役立てることができる。
【００８４】
なお、検出判定部２６１および３６１とスイッチ制御部２７０および３７０との全部または一部の機能を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８５】
以上、本発明の実施形態を図面を参照して詳述してきたが、具体的な構成はこの実施形態に限られるものではなく、この発明の要旨を逸脱しない範囲の設計変更等も含まれる。
【００８６】
上記の実施形態の一部又は全部は、以下の付記のようにも記載され得るが、以下には限られない。
【００８７】
（付記１）電力の供給を受ける複数の回路と、２つ以上の前記回路の各々に塗布されたニオイの質が異なるニオイ試料と、を具備することを特徴とする機器。
【００８８】
（付記２）前記複数の回路に対する電力供給を遮断可能なスイッチと、前記ニオイ試料の発するニオイを、ニオイの質毎に検出するニオイセンサと、前記ニオイセンサが所定強度以上のニオイを検出したか否かをニオイの質毎に判定し、所定強度以上のニオイを検出したと判定すると当該ニオイの質を示す情報を記録する検出判定部と、前記ニオイの質のうち少なくとも１つについて前記ニオイセンサが所定強度以上のニオイを検出したと前記検出判定部が判定すると、前記複数の回路に対する電力供給を遮断するよう前記スイッチを動作させるスイッチ制御部と、を具備することを特徴とする付記１に記載の機器。
【００８９】
（付記３）前記スイッチ制御部は、前記ニオイの質のいずれについても前記ニオイセンサが所定強度以上のニオイを検出していないと前記検出判定部が判定すると、前記複数の回路に対して電力が供給されるよう前記スイッチを動作させることを特徴とする付記２に記載の機器。
【００９０】
（付記４）前記ニオイ試料を塗布された２つ以上の前記回路の各々に対する電力供給を遮断可能なスイッチと、前記ニオイ試料の発するニオイを、ニオイの質毎に検出するニオイセンサと、前記ニオイセンサが所定強度以上のニオイを検出したか否かをニオイの質毎に判定する検出判定部と、前記ニオイの質のうち少なくとも１つについて前記ニオイセンサが所定強度以上のニオイを検出したと前記検出判定部が判定すると、検出したニオイの質のニオイ試料を塗布された前記回路に対する電力供給を遮断するよう前記スイッチを動作させるスイッチ制御部と、を具備することを特徴とする付記１に記載の機器。
【００９１】
（付記５）保護対象である複数の回路に対する電力供給を遮断可能なスイッチと、複数の質のニオイを、ニオイの質毎に検出するニオイセンサと、前記ニオイセンサが所定強度以上のニオイを検出したか否かをニオイの質毎に判定し、所定強度以上のニオイを検出したと判定すると検出したニオイの質を示す情報を記録する検出判定部と、前記ニオイの質のうち少なくとも１つについて前記ニオイセンサが所定強度以上のニオイを検出したと前記検出判定部が判定すると、前記複数の回路に対する電力供給を遮断するよう前記スイッチを動作させるスイッチ制御部と、を具備することを特徴とする回路保護装置。
【００９２】
（付記６）電力の供給を受ける複数の回路に対する異常部分判定方法であって、２つ以上の前記回路の各々にニオイの質が異なるニオイ試料を塗布することを特徴とする異常部分判定方法。
【００９３】
（付記７）電力の供給を受ける複数の回路と、２つ以上の前記回路の各々に塗布されたニオイの質が異なるニオイ試料と、前記複数の回路に対する電力供給を遮断可能なスイッチと、前記ニオイ試料の発するニオイを、ニオイの質毎に検出するニオイセンサと、を具備する機器が、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を具備することを特徴とする回路保護方法。
【００９４】
（付記８）電力の供給を受ける複数の回路と、２つ以上の前記回路の各々に塗布されたニオイの質が異なるニオイ試料と、前記ニオイ試料を塗布された２つ以上の前記回路の各々に対する電力供給を遮断可能なスイッチと、前記ニオイ試料の発するニオイを、ニオイの質毎に検出するニオイセンサと、を具備する機器が、前記ニオイセンサが所定強度以上のニオイを検出したか否かをニオイの質毎に判定する検出判定ステップと、前記ニオイの質のうち少なくとも１つについて前記ニオイセンサが所定強度以上のニオイを検出したと前記検出判定ステップにて判定すると、検出したニオイの質のニオイ試料を塗布された前記回路に対する電力供給を遮断するよう前記スイッチを動作させるスイッチ制御ステップと、を具備することを特徴とする回路保護方法。
【００９５】
（付記９）保護対象である複数の回路に対する電力供給を遮断可能なスイッチと、複数の質のニオイを、ニオイの質毎に検出するニオイセンサと、を具備する回路保護装置が、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を具備することを特徴とする回路保護方法。
【００９６】
（付記１０）電力の供給を受ける複数の回路と、２つ以上の前記回路の各々に塗布されたニオイの質が異なるニオイ試料と、前記複数の回路に対する電力供給を遮断可能なスイッチと、前記ニオイ試料の発するニオイを、ニオイの質毎に検出するニオイセンサと、を具備する機器の前記スイッチを制御するコンピュータに、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を実行させるためのプログラム。
【００９７】
（付記１１）電力の供給を受ける複数の回路と、２つ以上の前記回路の各々に塗布されたニオイの質が異なるニオイ試料と、前記ニオイ試料を塗布された２つ以上の前記回路の各々に対する電力供給を遮断可能なスイッチと、前記ニオイ試料の発するニオイを、ニオイの質毎に検出するニオイセンサと、を具備する機器の前記スイッチを制御するコンピュータに、前記ニオイセンサが所定強度以上のニオイを検出したか否かをニオイの質毎に判定する検出判定ステップと、前記ニオイの質のうち少なくとも１つについて前記ニオイセンサが所定強度以上のニオイを検出したと前記検出判定ステップにて判定すると、検出したニオイの質のニオイ試料を塗布された前記回路に対する電力供給を遮断するよう前記スイッチを動作させるスイッチ制御ステップと、を実行させるためのプログラム。
【００９８】
（付記１２）保護対象である複数の回路に対する電力供給を遮断可能なスイッチと、複数の質のニオイを、ニオイの質毎に検出するニオイセンサと、を具備する回路保護装置の前記スイッチを制御するコンピュータに、前記ニオイセンサが所定強度以上のニオイを検出したか否かをニオイの質毎に判定し、所定強度以上のニオイを検出したと判定すると検出したニオイの質を示す情報を記録する検出判定ステップと、前記ニオイの質のうち少なくとも１つについて前記ニオイセンサが所定強度以上のニオイを検出したと前記検出判定ステップにて判定すると、前記複数の回路に対する電力供給を遮断するよう前記スイッチを動作させるスイッチ制御ステップと、を実行させるためのプログラム。
【符号の説明】
【００９９】
１００、２００、３００  機器
１１０  バッテリ
１２０、１３０、１４０  回路
１２１、１３１、１４１  回路主要部
２０１  回路保護装置
２５１  温湿度センサ
２５２  ニオイセンサ
２６１、３６１  検出判定部
２６２  メモリ
２７０、３７０  スイッチ制御部
２８０、３８１、３８２  スイッチ
Ａ、Ｂ  ニオイ試料
【図１】
2013251985.tif 000003
【図２】
2013251985.tif 000004
【図３】
2013251985.tif 000005
【図４】
2013251985.tif 000006
【図５】
2013251985.tif 000007
【図６】
2013251985.tif 000008
【図７】
2013251985.tif 000009
【図８】
2013251985.tif 000010
【図９】
2013251985.tif 000011
【図１０】
2013251985.tif 000012
【図１１】
2013251985.tif 000013